(57)【特許請求の範囲】
【請求項１】
３面の液晶モニターを横一列に連結し、上記３面の液晶モニターの一台に吊り下げ部材を設けて天井を移動する移動用トロリーから吊り下げ、前記3枚の液晶モニターは、中央の液晶モニターに対して左右の液晶モニターが開閉自在に連結され、3枚の液晶モニターは、三角形に折り曲げることが出来るとともに重ね合わせることが出来、手術台の上において移動可能および向きの変更可能とし、しかも、中央の液晶モニターに対して一方の液晶モニターは同じ大きさとするとともに、他方の液晶モニターを小さなものとし、前記一方の液晶モニターと前記他方の液晶モニターとを中央の液晶モニターに重ね合わせたとき、前記他方の小さい液晶モニターが前記一方の液晶モニターの上に重なるようにした
医療用液晶モニター装置。
【発明の詳細な説明】
【０００１】
【発明の属する利用分野】
この発明は、例えば、手術室やＩＣＵなどに設置する医療用液晶モニター装置に関するものである。
【０００２】
【従来の技術】
近年の手術室には、手術箇所のモニターや手術患者の状態を示す心電図や血圧などのデータを手術中の医師や看護婦が把握できるように、それらを一元的に表示するためのモニター装置が置かれている。
【０００３】
従来、このようなモニター装置には、ブラウン管を用いたテレビ（ＣＲＴ）モニターが用いられていた。ところが、このテレビモニターは、奥行きがあり、また重量も重いので、例えば、図７に示すように、モニター台１に横一列あるいは二段に配置するようにしていた。
【０００４】
しかし、上記のようにテレビモニターをモニター台１に配置したものでは、モニター台１を手術台２に向けて一方向にしか配置できないので、例えば図７に示すように、医師や看護婦などの手術要員３が重なるとモニター画面４を見通せなくなる。
【０００５】
そのため、例えば、多数の手術要員３を必要とする心臓カテーテル手術などにおいても手術台２に近寄れる人数が限られてしまうという不都合が生じていた。
【０００６】
この問題を解決するため、複数のモニター台１を準備し、そのモニター台１を手術要員３の配置に応じて移動させることが考えられていた。
【０００７】
【発明が解決しようとする課題】
しかしながら、このようにモニター台を移動させる方法では、重たいモニター台を手術要員の配置に合わせて手術ごとに移動させるのは手間がかかるし、手術中に要員が移動すると、それに合わせてモニター台を移動させなければならない問題があった。
【０００８】
そこで、この発明の課題は、手術中に手術に携わる要員が、容易に、かつ、支障なくモニター画面を見ることができるようにすることである。
【０００９】
【課題を解決するための手段】
上記の課題を解決するため、この発明では、複数の液晶モニターを横一列にして開閉自在に連結した構成を採用したのである。
【００１０】
このような構成を採用することにより、液晶モニターは平板なので、横一列に開閉自在に連結された複数の液晶モニターの開閉角度を変えれば、各液晶モニターの表示画面の向きを手術要員の位置に応じて変えられる。そのため、手術に携わる者が支障なく表示画面を見ることができる。
【００１１】
また、上記複数の液晶モニターの一台に吊り下げ部材を設け、天井あるいは天井を移動する移動用トロリーから吊り下げられるようにした構成を採用することもできる。
【００１２】
このような構成を採用することにより、液晶モニターは軽量なので、天井からの吊り下げが容易にできる。また、天井から吊り下げることにより、床に置かれた機器などに関係なく手術室内への配置が自由にできる。そのため、例えば、液晶モニターを手術台上に配置し、配置した液晶モニターを開閉して向きを手術要員の配置や移動に応じて変えれば、開閉した液晶モニターを、例えば手術の患者を挟んで手術を行う医師や看護婦などの手術要員それぞれが見ることができるので、手術台に近寄れる人数を限る必要はない。
【００１３】
このとき、上記複数の液晶モニターが３台の液晶モニターで構成されている構成を採用することができる。
【００１４】
このような構成を採用することにより、３台の液晶モニターを開閉して三角形に折り曲げれば、一つの液晶モニターが１２０°カバーすることができ、液晶モニターを配置した周囲のどの位置からでも開閉したいずれかのモニターを見ることができる。その際、各液晶モニターの表示は、同じモニター画面にしても良いし、画面を見る手術要員の必要とする表示にすることができる。
【００１５】
また、このとき、上記液晶モニターにハンドルを設けた構成を採用することにより、ハンドルを持って液晶モニターの開閉や移動ができるので、例えば、手術中の手術要員の移動に合わせて、液晶モニターの開閉や移動が簡単にできる。
【００１６】
【発明の実施の形態】
以下、この発明の実施の形態を図面に基づいて説明する。
【００１７】
図１に示すように、この形態の医療用液晶モニター装置は、複数（三台）の液晶モニター１１ａ〜ｃを横一列にして開閉自在に連結した構成となっている。また、その液晶モニター１１ａ〜ｃの一台、すなわち、中央の液晶モニター１１ｂの上面に吊り下げ用の部材として支柱１２を設けてあり、その支柱１２を天井に設けた移動用トロリー１８に固定用フランジ１４でもって取り付ける構成となっている。
【００１８】
液晶モニター１１ａ〜ｃは、この形態の場合、２１インチのもの２台１１ａ，ｂと１３インチのもの１台１１ｃで構成されており、例えば２１インチのもの１１ａ，ｂは、手術個所のモニター画面、脳波、心電図などを単独で、あるいは画面を分割して表示するようになっている。また、１３インチのもの１１ｃには、脈拍などの数値データを表示するようにしている。
【００１９】
また、各モニター１１ａ〜ｃは、図２に示すように、側部同士を蝶番１５ａ，ｂで開閉自在に連結してある。
【００２０】
その際、２１インチのもの１１ａ，ｂは、１３インチのもの１１ｃに比べ少し重くなるので、２１インチのもの１１ａ，ｂ同士の連結には、蝶番１５ａを２箇所設けて連結している。また、１３インチのもの１１ｃについては、図２（ａ），（ｃ）のように、蝶番１５ｂをＬ型のアダプター１６を介して取り付け、蝶番１５ｂの回転軸を浮かせるようにしており、図３に示すように、１３インチのもの１１ｃを１８０°回転させた際に、２１インチの液晶モニター１１ａの厚みの分だけ浮いた状態となるようにして、折り畳んで収納ができるようになっている。
【００２１】
さらに、各液晶モニター１１ａ〜ｃの下部には、逆Ｔ字形のハンドル１７が設けられており、このハンドル１７を掴んで液晶モニター１１ａ〜ｃの開閉や後述するように液晶モニター１１ａ〜ｃの移動が簡単にできるようになっている。
【００２２】
なお、この形態では連結に蝶番１５ａ，ｂを用いているが、これ以外にも連結には、例えば継ぎ手などを用いるようにしてもよい。
【００２３】
また、先に述べたように、中央の液晶モニター１１ｂに、吊り下げ用の支柱１２を設けたが、この支柱１２と液晶モニター１１ｂとは水平方向（図１の矢印方向）に回動自在に取り付けるようにすれば、手術要員の配置や移動に合わせてより最適に液晶モニター１１ａ〜ｃ向きの調節ができる。
【００２４】
移動用トロリー１８は、図４のように、箱形のトロリー本体１９にガイド輪２０と走行輪２１とを備え、前記ガイド輪２０と走行輪２１を天井に並行に設けた２本の概Ｃ形チャンネル材からなるガイドレール２２に係合させるようにしたもので、係合させたレール２２に沿って移動できるようになっている。
【００２５】
また、トロリー本体１９には、４個の取り付け孔２３が設けられており、先に述べた固定用フランジ１４がネジ止めできるようになっている。
【００２６】
この形態は、上記のように構成されており、この発明の医療用液晶モニター装置１０は、移動用トロリー１８のガイドレール２２を天井に配置することにより、手術室内を簡単に移動させることができる。例えば、手術台２上にも移動させるようにもできる。そのため、手術台２の両側に手術要員を配置する場合は、例えば、図５（ａ）に示すように、液晶モニター１１ａ，ｂを開閉して折り曲げれば、液晶モニター１１ａ，ｂの表示画面２４が、図６（ａ）に示すように表裏となり、図５（ａ）に示すように、手術台２の両側に配置された手術要員３が、それぞれ液晶モニター１１ａ〜ｃの表示画面２４を見ながら手術を行うことができる。
【００２７】
その結果、全ての手術要員３が患者の状態を把握しながら手術を行うことができ、手術要員３の医師なども液晶モニター１１ａ〜ｃの表示画面２４を見て的確な指示を与えることができる。
【００２８】
また、例えば、手術要員３が図５（ａ）の破線のように移動した場合でも、ハンドルをもって液晶モニター１１ｃをその方向へ開閉すればよい。
【００２９】
一方、この液晶モニター１１ａ〜ｃは、図５（ｂ）に示すように、手術要員３が手術台２の片側だけに配置される場合でも、液晶モニター１１ａ〜ｃの表示画面２４が一方向となるように開閉すれば対処できる。そのため、端の者も前記表示画面２４を無理なく見ることができ、その際、例えば、液晶モニター１１ａ〜ｃの表示画面２４に異なった表示を行うようにすれば、表示できる情報も多くでき、多くの情報を共有できる。
【００３０】
さらに、図６（ｂ）のように、３台の液晶モニター１１ａ〜ｃを開閉して三角形に折り曲げると、各液晶モニター１１ａ〜ｃの表示画面２４が１２０°をカバーして周囲のどの位置からでも開閉したいずれかの液晶モニター１１ａ〜ｃを見ることができる。このとき、各液晶モニター１１ａ〜ｃの表示は、同じ表示内容にしても良いし、各液晶モニター１１ａ〜ｃを見る手術要員３の必要とする表示とすることもできる。
【００３１】
このように、この医療用液晶モニター装置１０は、手術要員３に合わせて連結された液晶モニター１１ａ〜ｃを開閉して向きを変えられる。そのため、例えば、手術中に手術要員３が移動してもそれに合わせて液晶モニター１１ａ〜ｃの向きを変えられるので、手術に携わる者が支障なくモニター画面を見ることができる。
【００３２】
なお、この形態では、液晶モニター１１ａ〜ｃの内の一台１１ｃを小さなものとした。
【００３４】
【発明の効果】
この発明は、以上のように構成したことにより、手術中の手術要員が、容易に、かつ、支障なくモニター画面を見ることができる。
【図面の簡単な説明】
【図１】実施形態の一部断面斜視図
【図２】（ａ）実施形態の平面図
（ｂ）実施形態の正面図
（ｃ）実施形態の側面図
【図３】実施形態の作用説明図
【図４】（ａ）実施形態の移動用トロリーの平面図
（ｂ）（ａ）のｂ−ｂ断面図
【図５】（ａ）実施形態の作用説明図
（ｂ）実施形態の作用説明図
【図６】（ａ）実施形態の作用説明図
（ｂ）実施形態の作用説明図
【図７】従来例の作用説明図
【符号の説明】
１０  医療用液晶モニター装置
１１ａ〜ｃ  液晶モニター
１２  支柱
１７  ハンドル
１８  移動用トロリー
【図１】
0003811017.tif 000002
【図２】
0003811017.tif 000003
【図３】
0003811017.tif 000004
【図４】
0003811017.tif 000005
【図５】
0003811017.tif 000006
【図６】
0003811017.tif 000007
【図７】
0003811017.tif 000008